(57)【要約】      （修正有）【課題】フラットディスプレイ装置の表示部が曲面部を有する場合でも、美観良く貼り付けることができるフラットディスプレイ装置の保護シートを提供する。【解決手段】周縁部に面取り状の曲面部１０１Ａを有するとともに、前記曲面部の内側に連なる平坦な平面部１０１Ｂを有する表示部１０１を備えるフラットディスプレイ装置１００の前記表示部を保護する保護シート１０であって、平板状をなすとともに前記表示部全体を覆う大きさに形成されたシート本体部１１と、前記表示部に貼付するための粘着層２２を備える粘着シートとが、軟質樹脂層１８を介して積層されており、軟質樹脂層１８が、表示部１０１のうち曲面部１０１Ａより内側の領域にだけ設けられている。【選択図】図３
0003203955.tif 000002
【実用新案登録請求の範囲】
【請求項１】
周縁部に面取り状の曲面部を有するとともに、前記曲面部の内側に連なる平坦な平面部を有する表示部を備えるフラットディスプレイ装置の前記表示部を保護する保護シートであって、
平板状をなすとともに前記表示部全体を覆う大きさに形成されたシート本体部と、前記表示部に貼付するための粘着層を備える粘着シートとが、軟質樹脂層を介して積層されており、
前記軟質樹脂層が、前記表示部のうち前記曲面部より内側の領域にだけ設けられている、フラットディスプレイ装置の保護シート。
【請求項２】
前記粘着シートは、前記曲面部を覆う大きさに形成されている請求項１に記載のフラットディスプレイ装置の保護シート。
【請求項３】
前記シート本体部は、印刷用基材シートと、前記印刷用基材シートの一面側の一部に設けられた印刷層と、前記印刷用基材シートおよび前記印刷層の間の段差を埋める硬化樹脂層と、からなる印刷シートが第２の軟質樹脂層を介して平板状の保護板に積層されたものである、請求項１または請求項２に記載のフラットディスプレイ装置の保護シート。
【請求項４】
前記粘着層はシリコン系粘着剤からなる請求項１ないし請求項３のいずれか一項に記載のフラットディスプレイ装置の保護シート。
【考案の詳細な説明】
【技術分野】
【０００１】
本明細書に開示される技術は、例えばスマートフォンやタブレット型ＰＣなどのフラットディスプレイ装置の表示部を保護する保護シートに関する。
【背景技術】
【０００２】
近年、例えばスマートフォンやタブレット型ＰＣなどに代表されるフラットディスプレイ装置が、急速に普及してきている。その中でもとりわけ携帯用のフラットディスプレイ装置は、例えば鞄やポケットに入れて持ち運ばれたり、机等の上に不用意に置かれたり、電話機能が使用される際には肌に密着されたりするため、使用中に表示部が傷ついたり汚れたりするのを防止するべく、しばしば保護シートが使用されている。
【０００３】
このような保護シートは、例えば透明性、機械的強度、防汚性等の特性に優れる強化ガラスやＰＭＭＡ製等の硬質の板材を、例えばシリコン系粘着層により、フラットディスプレイ装置の表示部に貼り付ける構成とされている。
【先行技術文献】
【特許文献】
【０００４】
【特許文献１】特開２０１５−１０１５１７号公報
【考案の概要】
【考案が解決しようとする課題】
【０００５】
ところで、フラットディスプレイ装置については新しいデザインのものが次々発売されており、最近では、表示部の周縁部が面取りされて曲面状とされたデザインのものが増加している。
【０００６】
しかし、このように周縁部が曲面状とされた表示部に従来のような比較的硬質な平板状の保護シートを貼付した場合、保護シートを曲面状の周縁部（曲面部とする）に追従させることが難しく、保護シートと曲面部と間に隙間が生じる。このような隙間、すなわち、曲面部から浮き上がった部分と、平面部にぴったり貼付された部分との境界線は、不規則な波形をなす場合があり、これが保護シートから透けて見えると美観が悪いという問題がある。
【０００７】
そこで、曲面部を避け、曲面部の内側の領域（平面部）だけを覆うサイズとされた保護シートを貼り付けることも考えられるが、そのような構成では、曲面部を含む表示部全体を保護できないという問題や、美観が悪いという問題がある。
【０００８】
本明細書に開示される技術は上記事情に鑑みて考えられたものであって、例えばスマートフォンやタブレット型ＰＣなどのフラットディスプレイ装置の表示部を保護する保護シートにおいて、表示部が曲面部を有する場合でも美観良く貼り付けることができる保護シートを提供することを目的とするものである。
【課題を解決するための手段】
【０００９】
上記事情に鑑みてなされた本考案は、周縁部に面取り状の曲面部を有するとともに、前記曲面部の内側に連なる平坦な平面部を有する表示部を備えるフラットディスプレイ装置の前記表示部を保護する保護シートであって、平板状をなすとともに前記表示部全体を覆う大きさに形成されたシート本体部と、前記表示部に貼付するための粘着層を備える粘着シートとが、軟質樹脂層を介して積層されており、前記軟質樹脂層が、前記表示部のうち前記曲面部より内側の領域にだけ設けられている。
【００１０】
このような構成によれば、シート本体部と粘着シートとは、曲面部より内側の領域にだけ設けられた軟質樹脂層を介して積層されているから、シート本体部を表示部全体を覆う大きさとする一方、粘着シートを、シート本体部の大きさによらない所望の大きさに設定し、表示部に貼り付けることができる。
【００１１】
すなわち、粘着シートを表示部と同等程度の大きさ（シート本体部と同等程度の大きさ）に設定した場合には、シート本体部で表示部全体を平面的に覆う一方、シート本体部が追従できない曲面部に対しては、柔軟性を有する粘着シートだけを追従させ、表示部全体に密着した状態で貼り付けることができる。
【００１２】
あるいは、粘着シートを軟質樹脂層と同等程度の大きさに設定した場合には、平板状のシート本体部で表示部全体を平面的に覆う一方、粘着シートを曲面部より内側の領域（平面部）にだけ貼り付けることができる。
【００１３】
そしていずれの場合も、軟質樹脂層は平面部に対応する領域にだけ設けられているから、軟質樹脂層がシート本体部側に引っ張られて曲面部から浮き上がったり、逆に、曲面部に沿って貼り付けられた粘着シート側に一部が引っ張られてシート本体部との間に不規則な隙間が生じることがない。すなわち、軟質樹脂層の端縁部が不規則な波形をなしてシート本体から透けて見えることがなく、美観に優れる。
【００１４】
上記保護シートは、以下の構成を備えていてもよい。
【００１５】
粘着シートは、曲面部を覆う大きさに形成されていてもよい。このような構成とすると、平板状のシート本体部により表示部全体を平面的に覆って保護する一方、シート本体部が追従できずに浮き上がった曲面部を粘着シートにより保護することができる。
【００１６】
シート本体部は、印刷用基材シートと、前記印刷用基材シートの一面側の一部に設けられた印刷層と、前記印刷用基材シートおよび前記印刷層の間の段差を埋める硬化樹脂層と、からなる印刷シートが第２の軟質樹脂層を介して平板状の保護板に積層されたものであってもよい。
【００１７】
このような構成によれば、保護シートに装飾等の印刷部を設けることが実現できる。
【００１８】
また、粘着層はシリコン系粘着剤であることが好ましい。このような構成とすると、保護シートをフラットディスプレイ装置の表示部に貼り付ける際に、保護シートと表示部との間に気泡が入り難い。
【考案の効果】
【００１９】
本考案の保護シートによれば、フラットディスプレイ装置の表示部が曲面部を有する場合でも、美観良く貼り付けることができる。
【図面の簡単な説明】
【００２０】
【図１】実施形態１の保護シートの概略的な一部拡大断面図
【図２】保護シートの概略的な一部拡大分解断面図
【図３】保護シートを表示装置に貼付した状態を示す概略的な一部拡大断面図
【図４】保護シートを表示装置に貼付した状態を示す平面図
【図５】実施形態２の保護シートの概略的な一部拡大断面図
【考案を実施するための形態】
【００２１】
＜実施形態１＞
実施形態１を図１ないし図４によって説明する。本実施形態にかかる保護シート１０は、例えば、スマートフォンやタブレット型ＰＣ等の携帯用のフラットディスプレイ装置１００の表示部１０１を覆うように貼付されて、当該表示部１０１を保護するためのものである（図４参照）。また本実施形態の保護シート１０は、フラットディスプレイ装置１００のうち、特に、周縁部が曲面状に面取りされた曲面部１０１Ａとされるとともに、その内側が、曲面部１０１Ａに連なる平坦な平面部１０１Ｂとされた表示部１０１に対して装着されるものである（図３参照）。以下、図１の上方を上、下方を下として説明する。
【００２２】
本実施形態の保護シート１０は、図１に示すように、上層側から強化ガラス１２（保護板の一例）、第２軟質樹脂シート１３（第２の軟質樹脂層の一例）、基材シート１４（印刷用基材シートの一例）、印刷層１５および硬化樹脂層１６、が順に積層された平坦な板状のシート本体部１１を備えており、このシート本体部１１の下面側（印刷層１５および硬化樹脂層１６側）に、第１軟質樹脂シート１８（軟質樹脂層の一例）を介して、粘着シート２０が積層されてなる。この粘着シート２０は、粘着層用シート２１、シリコン系粘着層２２（粘着層の一例）、剥離シート２３、が順に積層された、汎用の表面保護用粘着シート２０である。
【００２３】
上記強化ガラス１２は特に限定されるものでなく、汎用のものが使用可能である。本実施形態では、板厚が約０．４ｍｍのゴリラガラス（コーニング社：登録商標）を使用している。
【００２４】
第１および第２軟質樹脂シート１８，１３は、粘着性を有する光学透明粘着シート（ＯＣＡ：Optically Clear Adhesive）である。これらの軟質樹脂シート１８，１３はゲル状の柔らかい固体からなり、その厚み寸法の約１０〜２０％の割合で変形可能である。本実施形態において第１軟質樹脂シート１８の厚さは約１００μｍ、第２軟質樹脂シート１３の厚さは約２５μｍである。
【００２５】
印刷層１５は、ＰＥＴ製の基材シート１４の表面（第２軟質樹脂シート１３と反対側の面）に設けられた、例えば周縁部に沿って設けられる額縁や、文字や装飾用の模様等である。この印刷層１５は、隠蔽性を有する着色インキを、例えばスクリーン印刷等の公知の印刷手法で印刷することにより設けられる。本実施形態において基材シート１４の厚さは約５０μｍ、印刷層の厚さは約７μｍである。
【００２６】
硬化樹脂層１６は、基材シート１４と、この基材シート１４上に形成された印刷層１５との間の段差を埋めるように、すなわち、非印刷部だけを埋めるように印刷層４７の厚さとほぼ同等の厚さに塗布し、硬化させることにより設けられている。具体的には、本実施形態の硬化樹脂層１６の厚さは、約７μｍとされている。これにより、印刷層１５の表面は硬化樹脂層１６から露出している。なお本実施形態では、硬化樹脂層１６として、紫外線硬化型の光学透明樹脂（ＯＣＲ：Optically Clear Resin）が使用されている。
【００２７】
上述した表面保護用の粘着シート２０のシリコン系粘着層２２は吸着性を有しており、表示部１０１に対して繰り返し貼り付けたり、取り外したりすることが可能である。また剥離シート２３および粘着層用シート２１は、ＰＥＴ製である。これら剥離シート２３、シリコン系粘着層２２、粘着層用シート２１の厚さは、いずれも、約５０μｍである。
【００２８】
上述した本実施形態の保護シート１０は、剥離シート２３を剥離することにより露出されるシリコン系粘着層２２をフラットディスプレイ装置１００の表示部１０１に貼り付け、強化ガラス１２を表示部１０１とは反対の外側に配する構成のものである。
【００２９】
保護シート１０のうちシート本体部１１は、保護シート１０をフラットディスプレイ装置１００の表示部１０１を覆うように貼り付けた状態において、フラットディスプレイ装置１００の曲面部１０１Ａの外縁部まで平面的に覆う大きさ、換言すると、表示部１０１全体を平面的に覆う大きさに形成されている。
【００３０】
また保護シート１０のうち粘着シート２０は、表示部１０１（シート本体部１１）よりやや小さい寸法、かつ、平面部１０１Ｂより大きい寸法とされている。
【００３１】
さらに、保護シート１０のうち第１軟質樹脂シート１８は、平面部１０１Ｂと同等の大きさに形成されている。
【００３２】
このような本実施形態の保護シート１０は、例えば以下のように製造される。
【００３３】
まず、基材シート１４の表面に、スクリーン印刷により部分的に装飾等のための印刷層１５を形成する。そして、印刷層１５の上面側から液体状の硬化性樹脂（ＯＣＲ）を塗布し、印刷層１５および基材シート１４の間の段差を埋める。その後、硬化性樹脂（ＯＣＲ）を紫外線により硬化させることにより、硬化樹脂層１６を形成する（図２参照）。これにより、印刷シート１７が形成される。
【００３４】
次に、印刷シート１７の基材シート１４と強化ガラス１２とを第２軟質樹脂シート１３（ＯＣＡ）を介して積層し、シート本体部１１を形成する。第２軟質樹脂シート１３は、上述したようにその厚み寸法の１０〜２０％の割合で変形可能であるから、硬化樹脂層１６の硬化収縮により基材シート１４にうねりが生じている場合でも、基材シート１４は第２軟質樹脂シート１３を介して平滑な強化ガラス１２に隙間なくぴったりと重ね合わされる。このようにして、シート本体部１１が作製される。
【００３５】
次に、シート本体部１１の下面側（印刷層１５および硬化樹脂層１６側）の、端縁部から所定距離を隔てた内側の領域に、第１軟質樹脂シート１８（ＯＣＡ）を積層する。そして最後に、粘着シート２０の粘着層用シート２１側を第１軟質樹脂シート１８に重ね合わせ、貼り付ける。
【００３６】
このようにして、実施形態１の保護シート１０が完成する（図１参照）。
【００３７】
次に、本実施形態の保護シート１０の作用効果について説明する。本実施形態の保護シート１０によれば、平板状のシート本体部１１により、フラットディスプレイ装置１００の表示部１０１全体を平面的に覆うことができる。この状態において、平板状のシート本体部１１の周縁部付近は、表示部１０１の曲面部１０１Ａから浮き上がった状態となっている。
【００３８】
一方、表示部１０１に貼り付けられる粘着シート２０は、平面部１０１Ｂに対応する領域にだけ配された第１軟質樹脂シート１８を介してシート本体部１１に積層されているから、その周縁部付近はシート本体部１１側に引っ張られることなく自由な状態とされている。そしてこの粘着シート２０は、シート本体部１１とは異なり柔軟性を有するから、表示部１０１に沿って、すなわち、その周縁部付近を曲面部１０１Ａに沿わせるように湾曲させつつ、シリコン系粘着層２２を平面部１０１Ｂのみならず曲面部１０１Ａにも密着した状態で貼り付けることができる。
【００３９】
すなわち、このような本実施形態の保護シート１０によれば、保護シート１０と曲面部１０１Ａとの間に形成される隙間（空間部）と、平面部１０１Ｂに密着して貼り付けられる領域との境界は第１軟質樹脂シート１８の端縁部とされ、この第１軟質樹脂シート１８は全体が平面部１０１Ｂに対応する領域に設けられてその端縁部が従来のように不規則な波形をなしてシート本体部１１から透けて見えることがないから、使用者がシート本体部１１側から保護シート１０を見た場合の美観に優れる。
【００４０】
また、粘着シート２０は、曲面部１０１Ａを覆う大きさに形成されて曲面部１０１Ａに密着した状態で貼り付けられるから、曲面部１０１Ａを粘着シート２０により確実に保護することができる。
【００４１】
また、本実施形態の保護シート１０によれば、シリコン系粘着層２２を汎用の粘着シート２０を利用して設けるようにしているから、簡単かつ安価な製造コストで製造することができる。
【００４２】
さらに、保護シート１０を平面部１０１Ｂに貼り付けるための粘着層はシリコン系とされているから、平面部１０１Ｂとの間に気泡が入り難く、また、平面部１０１Ｂに対して繰り返し貼り付けたり、取り外したりすることが可能である。
【００４３】
＜実施形態２＞
次に、本考案の実施形態２を図５によって説明する。以下の説明においては、実施形態１と重複する部分は詳細な説明を省略する。また、実施形態１と同一の構成要素については、実施形態１の構成要素に付した符号に２０を足した符号を使用することとする。
【００４４】
実施形態２の保護シート３０は、粘着シート４０の大きさが、第１軟質樹脂シート３８と同等の大きさ、すなわち、フラットディスプレイ装置１００の表示部１０１の平面部１０１Ｂと同等の大きさとされているところが、上記実施形態１と相違している。
【００４５】
このような実施形態２の保護シート３０によれば、上記実施形態１と同様に、平板状のシート本体部３１により、フラットディスプレイ装置１００の表示部１０１全体を平面的に覆うことができる。
【００４６】
一方、表示部１０１に貼り付けられる粘着シート４０は、平面部１０１Ｂに対応する領域にだけ配された第１軟質樹脂シート３８と同等の大きさとされて、この第１軟質樹脂シート３８を介してシート本体部１１に積層されているから、その端縁部が平面部１０１Ｂと曲面部１０１Ａとの境界線に沿った状態で、表示部１０１に密着した状態で貼り付けられる。
【００４７】
すなわち、実施形態２の保護シート３０によっても、第１軟質樹脂シート３８の端縁部が従来のように不規則な波形をなしてシート本体部１１から透けて見えることがなく、保護シート３０を見た場合の美観に優れる。
【００４８】
その他、上記実施形態１と同様の作用効果を奏する。
【００４９】
＜他の実施形態＞
本考案は上記記述及び図面によって説明した実施形態に限定されるものではなく、例えば次のような実施形態も本考案の技術的範囲に含まれる。
【００５０】
（１）上記実施形態では、第１軟質樹脂シート１８，３８を平面部１０１Ｂと同等の大きさに設定したが、平面部１０１Ｂよりやや小さい大きさに設定してもよく、要は、曲面部１０１Ａにかからない大きさとされていればよい。
【００５１】
（２）上記実施形態では、シート本体部１１、３１が、基材シート１４、３４と、印刷層１５、３５と、硬化樹脂層１６、３６と、からなる印刷シート１７、３７が第２の軟質樹脂シート１３、３３を介して平板状の強化ガラス１２、３２に積層された構成としたが、シート本体部１１、３１の構成は上記実施形態に限るものでなく、適宜変更することができる。例えば、印刷シートの向きを反転させたり、硬化樹脂層を印刷層を埋設するように設けてもよい。あるいは、印刷シート１７、３７および第２軟質樹脂シート１３、３３は省略することもできる。
【００５２】
（３）粘着層はシリコン系粘着材に限らず、他の材料にて構成されていてもよい。
【００５３】
（４）上記実施形態では、保護板として強化ガラスを使用したが、ＰＭＭＡ等の硬質樹脂を使用してもよい。
【００５４】
（５）保護シート１０、３０を構成する各層の厚さ（寸法）は上記実施形態に限るものでなく、適宜変更することができる。
【符号の説明】
【００５５】
１０、３０：保護シート
１１、３１：シート本体部
１２、３２：強化ガラス（保護板）
１３、３３：第２軟質樹脂シート（第２の軟質樹脂層）
１４、３４：基材シート（印刷用基材シート）
１５、３５：印刷層
１６、３６：硬化樹脂層
１７、３７：印刷シート
１８、３８：第１軟質樹脂シート（軟質樹脂層）
２０、４０：粘着シート
２１、４１：粘着層用シート
２２、４２：粘着層
２３：剥離シート
１００：フラットディスプレイ装置
１０１：表示部
１０１Ａ：曲面部
１０１Ｂ：平面部
【図１】
0003203955.tif 000003
【図２】
0003203955.tif 000004
【図３】
0003203955.tif 000005
【図４】
0003203955.tif 000006
【図５】
0003203955.tif 000007